(57)【要約】【課題】  多くの端末装置の状態を複数の監視装置で分散して監視し、監視装置間で連携して端末装置を制御したり、複数の監視装置を中継して、さらに上位の中央監視装置などで前記多くの端末装置を監視し、表示や状態に応じた制御を行うなどした監視システムにおいて、端末装置の数が変化しても、監視装置の設定変更を不要にする。【解決手段】  共用部分Ｍ０では、１次側ネットワークＮ１によって複数の監視装置Ｕ１〜Ｕｎを相互に接続し、テナント占有部分Ｍ１〜Ｍ３では、各監視装置Ｕ１〜Ｕｎには、２次側ネットワークＮ２によって１または複数の端末装置Ｔを接続する。各監視装置では、２次側ネットワークＮ２で各端末装置Ｔに繋がる負荷の状態を取得すると、ＣＰＵ１３は、負荷の種別などの属性毎に、記憶部１４に記憶されている代表値算出ルールに則って代表値を算出し、１次側ネットワークＮで他の監視装置や中央監視制御装置Ｕ０へ送信する。【選択図】      図１
2006092252.tif 000002
【特許請求の範囲】
【請求項１】
第１のネットワークによって複数の監視装置が相互に接続され、前記各監視装置には第２のネットワークによって１または複数の端末装置が接続されて成る監視システムにおいて、
前記各監視装置は、
前記第２のネットワークを介して各端末装置の状態を取得する第２の通信部と、
取得した各端末装置の状態から、予め定める手順に従って、各端末装置の状態の代表値を算出する代表値算出部と、
算出した代表値を前記第１のネットワークを介して他の監視装置へ送信する第１の通信部とを含むことを特徴とする監視システム。
【請求項２】
前記各端末装置は属性情報を有しており、
前記監視装置の代表値算出部は、対象とする属性の端末装置の状態のみから、その属性に対応した手順に従って、前記代表値を算出することを特徴とする請求項１記載の監視システム。
【請求項３】
前記監視装置は、前記属性毎に、許容する入力値と制御情報とを対応付けた制御テーブルと、前記代表値に基づいて各端末装置を監視する監視手段とを有することを特徴とする請求項２記載の監視システム。
【請求項４】
前記監視手段は、制御対象の端末装置の属性情報を制御情報に付加して同報送信し、受信した端末装置は、前記属性情報に該当するときに前記制御情報を取込むことを特徴とする請求項３記載の監視システム。
【請求項５】
第１のネットワークによって他の監視装置と相互に接続され、第２のネットワークによって１または複数の端末装置が接続され、前記端末装置の状態を他の監視装置と通信するようにした監視装置において、
前記第２のネットワークを介して各端末装置の状態を取得する第２の通信部と、
取得した各端末装置の状態から、予め定める手順に従って、各端末装置の状態の代表値を算出する代表値算出部と、
算出した代表値を前記第１のネットワークを介して他の監視装置へ送信する第１の通信部と、
前記代表値に基づいて各端末装置を監視する監視手段とを含むことを特徴とする監視装置。
【発明の詳細な説明】
【技術分野】
【０００１】
本発明は、テナントビルなどで好適に実施される監視システムおよび監視装置に関する。
【背景技術】
【０００２】
通信ネットワークで接続された端末装置の状態を監視する場合には、監視対象となる全ての端末装置について、その状態を監視装置で記憶するのが一般的である。また、制御を行うにあたって、それを容易にするために、各端末装置をグループ化し、そのグループを一括して制御することが、特許文献１で示されている。その特許文献１によれば、照明機器や空調機器を制御する前記端末装置を管理するためのテーブルを中央監視制御装置に設け、かつ１台の端末装置を複数の制御パターン毎にグループ化しておき、ある制御パターンを選択すると、グループ化されている端末装置が一斉に制御されるようになっている。
【特許文献１】特開平１１−１３４０２１号公報
【発明の開示】
【発明が解決しようとする課題】
【０００３】
上述の従来技術では、制御パターン毎にグループ化したテーブルを記憶しており、所望とする制御に対応した制御パターンを選択するだけで、グループ化されている端末装置が一斉に制御され、制御が容易になっている。しかしながら、中央監視制御装置は、各端末装置の制御結果を個別に管理しており、管理対象となりうる端末装置数分のメモリ領域を端末状態記憶用のメモリとして確保しなければならず、常に最大数を想定しておく必要が生じてメモリが大きくなってしまうという問題がある。また、機器の増設によって、中央監視制御装置に、設置当初に予定していた以上の端末装置が接続される場合には、システム全体を収容端末数の大きいものに変更したり、或いは新たなシステムを増設し、２つの中央監視制御装置を管理する必要が生じるなどの問題がある。
【０００４】
さらにまた、管理対象端末であることを中央監視制御装置に登録する設定作業が伴い、端末装置の追加や交換などが行われた場合にはその都度設定作業が発生する。したがって、テナントビルなどで、テナントの入替わりや模様替えが頻繁に行われる場合、機器の取付け取外しや設置位置の変更などの工事とは別に、中央監視制御装置側でも、その都度設定作業を行わなければならず、管理（メンテナンス）が煩雑であるという問題がある。
【０００５】
本発明の目的は、通信ネットワーク上に接続された端末装置の状態監視を行うシステムにおいて、メモリを節約し、管理対象の端末装置数に依存することなく、端末装置の追加などが行われた場合にも煩雑な設定作業が不要な監視システムおよび監視装置を提供することである。
【課題を解決するための手段】
【０００６】
本発明の監視システムは、第１のネットワークによって複数の監視装置が相互に接続され、前記各監視装置には第２のネットワークによって１または複数の端末装置が接続されて成る監視システムにおいて、前記各監視装置は、前記第２のネットワークを介して各端末装置の状態を取得する第２の通信部と、取得した各端末装置の状態から、予め定める手順に従って、各端末装置の状態の代表値を算出する代表値算出部と、算出した代表値を前記第１のネットワークを介して他の監視装置へ送信する第１の通信部とを含むことを特徴とする。
【０００７】
また、本発明の監視システムでは、前記各端末装置は属性情報を有しており、前記監視装置の代表値算出部は、対象とする属性の端末装置の状態のみから、その属性に対応した手順に従って、前記代表値を算出することを特徴とする。
【０００８】
さらにまた、本発明の監視システムでは、前記監視装置は、前記属性毎に、許容する入力値と制御情報とを対応付けた制御テーブルと、前記代表値に基づいて各端末装置を監視する監視手段とを有することを特徴とする。
【０００９】
また、本発明の監視システムでは、前記監視手段は、制御対象の端末装置の属性情報を制御情報に付加して同報送信し、受信した端末装置は、前記属性情報に該当するときに前記制御情報を取込むことを特徴とする。
【００１０】
さらにまた、本発明の監視装置は、第１のネットワークによって他の監視装置と相互に接続され、第２のネットワークによって１または複数の端末装置が接続され、前記端末装置の状態を他の監視装置と通信するようにした監視装置において、前記第２のネットワークを介して各端末装置の状態を取得する第２の通信部と、取得した各端末装置の状態から、予め定める手順に従って、各端末装置の状態の代表値を算出する代表値算出部と、算出した代表値を前記第１のネットワークを介して他の監視装置へ送信する第１の通信部と、前記代表値に基づいて各端末装置を監視する監視手段とを含むことを特徴とする。
【発明の効果】
【００１１】
本発明の監視システムおよび監視装置によれば、他の監視装置や中央監視装置などにとって、代表値を送信した監視装置は、所定の入力に対して結果を出力する仮想負荷となり、端末装置の数が変化しても、第１のネットワークにおける監視装置（仮想負荷）の設定変更を不要にでき、たとえばビルに設置する際に、テナントが入る前の基幹部分（第１のネットワーク）を先に独立して設置し、占有部分（第２のネットワーク）は、テナントの要望や入替わりなどに応じて、柔軟に組替えることができる。また、前記監視装置は、前記代表値を管理するだけであり、端末装置の状態を記憶しておくためのメモリ容量を削減することができる。さらにまた、複数の監視装置で多くの端末装置を監視するにあたって、第１のネットワークでは前記代表値が通信されるだけであり、トラヒックを劇的に削減することができる。
【発明を実施するための最良の形態】
【００１２】
図１は、本発明の実施の一形態に係る監視システム１の全体構成の一例を示す図である。この監視システム１は、たとえばテナントビル２に設置される。テナントビル２は、大略的に、テナントが入居する占有部分Ｍ１〜Ｍｎ（総称するときは、以下参照符号Ｍで示す。）と、廊下や階段、さらに給湯室やトイレなどの共用部分Ｍ０とに区画されている。前記占有部分Ｍは、個別のテナントが入居していても、１つのテナントが入居していても、いずれでもよい。
【００１３】
本発明では、改装などの可能性が少ない基幹部分である前記共用部分Ｍ０には１次側ネットワークＮ１が構築されており、たとえばテナントの入居前に設置され、テナントの入替わりや、占有部分Ｍの模様替えなどに対しても不変である。一方、前記占有部分Ｍには、テナントの要望や入替わりなどに応じて変更される２次側ネットワークＮ２１〜Ｎ２ｎ（図１では、Ｎ２３までで示す。総称するときは、以下参照符号Ｎ２で示す。）がそれぞれ構築されている。
【００１４】
前記１次側ネットワークＮ１には、各占有部分Ｍ１〜Ｍｎを監視する監視装置Ｕ１〜Ｕｎ（総称するときは、以下参照符号Ｕで示す。）や、共用部分Ｍ０に設置される図示しない照明制御端末、スイッチ、センサ、計測・計量端末などが接続されている。共用部分Ｍ０においても、前記照明制御端末、スイッチ、センサ、計測計量端末などが接続され、前記廊下、階段、給湯室、トイレなどを監視する監視装置が設けられてもよい。各監視装置Ｕは、多くの端末装置Ｔ１１〜Ｔ１５；Ｔ２１〜Ｔ２５；Ｔ３１〜Ｔ３８（総称するときは、以下参照符号Ｔで示す。）の状態を分散して監視し、たとえば占有部分Ｍ１〜Ｍｎの全ての蛍光灯が消灯されたり、施錠されたりすると、共用部分Ｍ０を消灯したり施錠したりするような、相互に連携して端末装置Ｔ間の制御を行ったり、前記第１のネットワークＮ１にさらに上位の中央監視制御装置Ｕ０が設けられる場合には、前記端末装置Ｔへの中継装置として機能したりする。中央監視制御装置Ｕ０は、各端末装置Ｔ単位で個別に制御を行ったり、纏めて制御を行ったり、状態を表示したりすることができ、必要に応じて設けられる。前記中央監視制御装置Ｕ０および監視装置Ｕは、個別のアドレスを有し、制御情報や負荷状態を表す端末状態情報を、所望とする相手との間で、１対１または１対多で通信する。
【００１５】
前記２次側ネットワークＮ２１〜Ｎ２３には、上述のようにそれぞれ多くの端末装置Ｔ１１〜Ｔ１５；Ｔ２１〜Ｔ２５；Ｔ３１〜Ｔ３８が接続されている。この端末装置Ｔは、個別のアドレスを有し、中央監視制御装置Ｕ０や監視装置Ｕからの前記制御情報に応答して、任意の負荷機器Ａ（後述の空調機器Ａ１〜Ａ３の総称），Ｌ（後述の照明機器Ｌ１１，Ｌ１２；Ｌ２１，Ｌ２２；Ｌ３１〜Ｌ３５の総称），Ｋ（後述の積算電力量計Ｋ１〜Ｋ３の総称），Ｓ（後述の保安機器Ｓ１〜Ｓ３の総称）を制御し、また各負荷機器Ａ，Ｌ，Ｋ，Ｓの状態を検知して、必要に応じて前記端末状態情報を前記中央監視制御装置Ｕ０や監視装置Ｕへ送信するものである。
【００１６】
この図１の例では、占有部分Ｍ１において、端末装置Ｔ１１，Ｔ１５には負荷機器として照明機器Ｌ１１，Ｌ１２がそれぞれ接続されており、端末装置Ｔ１２には負荷機器として火報センサや人感センサなどの保安機器Ｓ１が接続されており、端末装置Ｔ１３には負荷機器として積算電力量計Ｋ１が接続されており、端末装置Ｔ１４には負荷機器として空調機器Ａ１が接続されている。同様に、占有部分Ｍ２では、端末装置Ｔ２１，Ｔ２５には照明機器Ｌ２１，Ｌ２２がそれぞれ接続されており、端末装置Ｔ２２には保安機器Ｓ２が接続されており、端末装置Ｔ２３には空調機器Ａ２が接続されており、端末装置Ｔ２４には積算電力量計Ｋ２が接続されている。さらにまた、占有部分Ｍ３では、端末装置Ｔ３１，Ｔ３３，Ｔ３４，Ｔ３６，Ｔ３８には照明機器Ｌ３１〜Ｌ３５がそれぞれ接続されており、端末装置Ｔ３２には保安機器Ｓ３が接続されており、端末装置Ｔ３５には積算電力量計Ｋ３が接続されており、端末装置Ｔ３７には空調機器Ａ３が接続されている。端末装置Ｔは、各負荷機器Ａ，Ｌ，Ｋ，Ｓ内に内蔵されていてもよい。
【００１７】
図２は、監視装置Ｕの一構成例を示すブロック図である。この監視装置Ｕは、他の監視装置や中央監視制御装置Ｕ０などに接続される１次側ネットワークＮ１と通信を行う１次側送受信部１１と、端末装置Ｔに接続される２次側ネットワークＮ２と通信を行う２次側送受信部１２と、代表値算出部および監視手段であるＣＰＵ１３と、記憶部１４と、表示部１５と、操作部１６とを備えて構成される。
【００１８】
前記記憶部１４には、前記各負荷機器Ａ，Ｌ，Ｋ，Ｓが属性毎に分類され、それに関する情報が仮想負荷情報として記憶されている。前記各負荷機器Ａ，Ｌ，Ｋ，Ｓは、種別によって分類すれば、上述のように空調機器Ａ１〜Ａ３と、照明機器Ｌ１１，Ｌ１２；Ｌ２１，Ｌ２２；Ｌ３１〜Ｌ３５と、積算電力量計Ｋ１〜Ｋ３と、保安機器Ｓ１〜Ｓ３とであるが、この属性による分類では、アドレスなどで分類されてもよく、ただし、同じ制御情報で制御され、かつ負荷状態を纏めて表す代表値の算出が同時に行われる負荷とする。たとえば、同じ占有部分Ｍ３に設置される照明機器Ｌ３１〜Ｌ３５において、照明機器Ｌ３１〜Ｌ３５が一括して制御されるときには同じ属性１とされ、その中でも個別にも制御される照明機器Ｌ３１，Ｌ３４を属性２とするように、重複して分類されていてもよく、また空調機器Ａ３と、照明機器Ｌ３１〜Ｌ３５とのように、一括して制御され、かつ制御状態を表す情報も共にＯＮ／ＯＦＦのように同じ形態であれば、異なる種別の機器が同一の属性に設定されていてもよい。
【００１９】
前記仮想負荷情報には、対象となる端末の属性と、後述するような予め定められる代表値算出ルールと、それによって算出された仮想負荷の代表値と、制御テーブルとが含まれている。図２の例では、前記各負荷機器Ａ，Ｌ，Ｋ，Ｓの種類毎に仮想負荷情報ＤＡ，ＤＬ，ＤＫ，ＤＳが設定されている。この仮想負荷情報ＤＡ，ＤＬ，ＤＫ，ＤＳの代表値は、１次側ネットワークＮ１における他の監視装置や中央監視制御装置Ｕ０からは仮想の負荷の状態値として見え、上述のように連携した監視制御や、該監視装置Ｕを中継した中央監視制御装置Ｕ０による監視制御を行うことが可能となっている。
【００２０】
たとえば、照明機器Ｌの点灯状態を監視する場合、照明機器Ｌの少なくとも１台がＯＮのときに代表値としてＯＮとする場合では、対象端末属性は、端末種別が照明機器Ｌであることであり、代表値算出ルールとしては、照明機器Ｌの全てがＯＦＦである場合にのみ、（仮想負荷の）代表値はＯＦＦとなる。これによって、たとえば照明機器Ｌの消し忘れや、在室状況などを判断することができる。また、一斉点灯で、照明機器Ｌの全てがＯＮのときにのみ代表値としてＯＮとする場合では、故障などを検知することができる。
【００２１】
このように管理対象端末の状態がＯＮ／ＯＦＦなどの状態を扱う場合は、条件（この場合、ＯＮ）に合致したときに１とするフラグで管理することができ、監視装置Ｕの記憶部１４のメモリを節約することができる。その他、条件に合致した端末数をカウントすることで、目的とする対象端末の数を監視することが可能である。たとえばＯＮ状態（あるいはＯＦＦ状態）であることを条件にすると、稼動端末数（あるいは休止端末数）の監視が可能になる。
【００２２】
また、対象端末が調光出力レベルが可変の照明制御端末の場合、調光出力レベル（調光率）に或る基準を設けて、１番目の仮想負荷としては５０％未満、２番目の仮想負荷として５０％以上７０％未満、３番目の仮想負荷として７０％以上をそれぞれ条件にすると、端末の状態（調光出力レベル（調光率））の程度に応じたヒストグラム（該当端末数の分布）を監視することもできる。
【００２３】
またそのように仮想負荷として数値を扱う場合で、管理対象端末の状態が計測値や計量値などの場合、監視装置Ｕが取得した各端末装置Ｔの状態（計測値や計量値）の総和を算出することで、たとえば積算電力量計Ｋが対象端末の場合は、総電力量を監視することができる。これによって、各占有部分Ｍが異なるテナントの場合は、テナント毎の総消費電力量を容易に監視することができる。
【００２４】
また、各端末装置Ｔの状態（計測値や計量値）を取得するときに、順次、値の大小を比較することによって、対象端末の状態の最大値あるいは最小値を代表値として監視することができる。さらにまた、前述したように総和を算出するのと合わせて、受信した対象端末の数を記憶しておくことによって、平均値を得ることもできる。たとえば、対象端末が温度計のときは、該当するエリア（占有部分Ｍ）の平均温度を監視することができる。また、調光出力レベルの制御が可能な照明機器Ｌが対象端末であるときには、平均調光率（平均調光レベル）を監視することができる。
【００２５】
これらは、対象端末の追加などが行われた際にも、仮想負荷情報の数に変化がなければ、監視装置Ｕでの端末の登録・設定作業や算出ルールの変更が一切不要で実現される。また、上位に中央監視制御装置Ｕ０がある場合には、これらの算出は、従来ではその上位の中央監視制御装置Ｕ０が全て行わなければならなかったのに対して、本監視システム１を用いた場合には、これらの算出処理が分散して行われ、中央監視制御装置Ｕ０の処理負荷が軽減される。中央監視制御装置Ｕ０は、算出された代表値を１つの負荷端末状態として取得し、監視するだけでよい。
【００２６】
また、前記制御テーブルには、図３（ａ）で示すように、それぞれの仮想負荷にどのような制御が行われるのかを表す制御情報および許容する入力値が記憶されている。これによって、たとえば対象の端末がＯＮ／ＯＦＦ制御のみ可能である場合には、その制御テーブルにはＯＮ制御およびＯＦＦ制御のみを入力値として許容する旨が記載されており、この端末に対して、ＣＰＵ１３が１次側送受信部１１を介して出力レベル（例えば、照明器具の調光レベルなど）を制御する入力値を受信すると、この制御テーブルに基づいて、その入力は正常外の制御要求としてエラー処理される。
【００２７】
これに対して、調光出力レベルの制御が可能な照明機器に対しては、照明の点灯／消灯を制御するＯＮ／ＯＦＦ制御に加えて、制御可能範囲内（図３では０〜１００％の調光が可能な場合の例）の任意の調光出力レベルの制御を可能にしている。また、電力量計の場合には、積算電力量のカウンタ値を０〜上限値の範囲内で任意の整数値に設定することを可能にしている。たとえば、テナントが入替わるなどして積算電力量をリセットするときには、カウンタ値を０に設定する。
【００２８】
図２の例では、仮想負荷情報ＤＡ，ＤＬ，ＤＫ，ＤＳ毎に制御テーブルが格納されているけれども、図４の監視装置Ｕ’の記憶部１４’で示すように、仮想負荷の種別毎の制御テーブル２０を共通で有し、個々の仮想負荷情報ＤＡ’，ＤＬ’，ＤＫ’，ＤＳ’には仮想負荷種別の情報を格納するようにしてもよい。この場合、前記制御テーブル２０には、図３（ｂ）で示すような情報が記憶される。
【００２９】
これによって、たとえば前記空調機器Ａと照明機器Ｌとが、共にＯＮ／ＯＦＦ制御のみの負荷である場合、空調機器Ａの仮想負荷情報ＤＡ’における仮想負荷種別と、照明機器Ｌの仮想負荷情報ＤＬ’における仮想負荷種別とが、共にＯＮ／ＯＦＦ端末となり、入力値の適否の判断には、同じ制御テーブルが使用される。このように構成することで、記憶部１４’の容量を削減することができる。
【００３０】
図５は、２次側ネットワークＮ２での監視装置Ｕによる端末状態情報の収集動作を説明するための図である。この図５では、２次側ネットワークＮ２には、Ｔ１〜Ｔ３の３つの端末装置が接続されている様子を示す。監視装置Ｕの２次側送受信部１２からは、反復的に一定周期で同期信号が同報送信されている。その同期信号をトリガとして、各端末装置Ｔ１〜Ｔ３は、それぞれのアドレス毎に時間をずらして割当てられた時間区間に、自身の端末状態（負荷機器から収集したデータ）を監視装置Ｕへ送信する。監視装置Ｕは、順次送信されてくる各端末装置Ｔ１〜Ｔ３の端末状態情報を受信し、属性情報から、監視対象の端末装置からの情報であるかどうかを判断し、対象属性と合致した端末状態情報について、代表値算出ルールに基づいて代表値を算出する。同期信号の周期毎に前記代表値は更新される。
【００３１】
図６は、その代表値更新処理の流れの一例を示すフローチャートである。ステップＳ１では、各端末装置から順次送信されてくる端末状態情報を受信し、ステップＳ２で管理対象の属性端末かどうか照合判定する。属性が合致したものについては、ステップＳ３で代表値更新のために格納されてステップＳ５に移り、属性が合致しないものについてはステップＳ４で破棄されて前記ステップＳ５に移る。ステップＳ５では、一定周期で送信される前記同期信号が受信されたか否かが判断され、受信されるまでは前記ステップＳ１〜Ｓ４を繰返して対象の属性の端末状態の受信を繰返し、受信されると、それをトリガとして、ステップＳ６において、前記代表値算出ルールに基づいて代表値が算出され、前記仮想負荷情報ＤＡ，ＤＬ，ＤＫ，ＤＳ；ＤＡ’，ＤＬ’，ＤＫ’，ＤＳ’における代表値が更新（新しい値で上書き）される。
【００３２】
このように、一旦端末状態情報を全部取り込んでから代表値を求めるのではなく、順次入力されるＯＮ／ＯＦＦ情報で代表値のＯＮ／ＯＦＦを逐次切替えたり、順次入力されるデータを逐次加算してゆくようにしてもよい。そのように構成することで、逐次更新値を記憶するバッファは必要になるけれども、各端末装置からのデータを記憶しておくメモリは必要にならず、記憶部１４のメモリ容量を削減することができる。
【００３３】
図７は、各端末装置Ｔの制御動作を説明するための図である。図７でも、前述の図５と同様に、２次側ネットワークＮ２にはＴ１〜Ｔ３の３つの端末装置が接続されているとする。監視装置Ｕの代表値は、上述の通り、同期信号の周期の都度、値の更新が行われており、或る監視装置のＣＰＵ１３が１次側送受信部１１から１次側ネットワークＮ１を介して、他の監視装置の仮想負荷の値（代表値）を取得すると、最新の値を得ることができる。それに基づいて、或る監視装置のＣＰＵ１３が１次側送受信部１１から１次側ネットワークＮ１を介して他の監視装置の各仮想負荷に対して制御情報を送信すると、受信した監視装置は、その仮想負荷毎に定められている管理対象端末属性に基づき、該当属性の端末装置に対して、制御情報を２次側送受信部１２から２次側ネットワークＮ２を介して送信する。これに応答して、各端末装置Ｔ１〜Ｔ３は、受信した制御情報が、前記属性情報から、自機の属性に合致する場合には、接続された負荷機器の制御を行う。
【００３４】
図７では、監視装置Ｕは、制御情報「ＯＮ」に対象端末の属性情報である「属性Ｌ」を付加して同報送信している。この制御情報を受信した端末装置Ｔ１〜Ｔ３のうち、負荷機器として照明機器が接続された属性Ｌの端末装置Ｔ１，Ｔ２は前記属性情報が一致し、接続された照明機器を「ＯＮ」にする制御を行うけれども、負荷機器として空調機器が接続された属性Ａの端末装置Ｔ３では前記属性情報が一致せず、受信した制御情報を破棄している。
【００３５】
また、他の監視装置から制御情報を受信すると、受信した監視装置は、上述のように制御テーブルを用いて、受取った制御情報が、その仮想負荷において許容される入力値であるかどうかを判断し、正常である場合のみ２次側ネットワークＮ２への制御情報の送信を行う。異常な入力値であるときは制御情報の送信を行わずにエラー処理を行う。前記エラー処理は、たとえば１次側ネットワークＮ１の制御情報送信元に対して、エラー情報を送信するなどである。
【００３６】
一方、表示部１５は、たとえば仮想負荷毎に表示領域を備え、その仮想負荷毎の代表値（状態）を表示する。たとえば照明機器が点灯状態であるかや、消灯状態であるか、或いは調光率などである。この表示部１５の表示態様としては、液晶表示器などによって数値や文字列として表示する態様、ＬＥＤやランプを用いてその点灯状態・点滅状態やランプ色によって状態を表現する態様、スピーカなどによって音声で状態の通知を行う態様などが考えられる。この表示部１５を設けることで、中央監視制御装置Ｕ０でなくても、各占有部分Ｍにおいて、各仮想負荷の状態を確認することができる。そして、前述のようにして求めた代表値を表示することで、該表示部１５を簡略化することができる。
【００３７】
また、操作部１６は、仮想負荷毎の制御操作を可能にするもので、この操作部１６の態様としては、たとえばＯＮ／ＯＦＦ状態をもつ仮想負荷の場合には、状態を切換えるスイッチなどでよい。この場合、スイッチでＯＦＦを入力することで、ＯＦＦ制御の制御情報が同報送信され、対象とする端末装置に接続された負荷機器の全てがＯＦＦ（消灯）する等の制御を行うことが可能である。なおその結果として、その後の代表値更新のプロセスにおいて、全消灯されたことが仮想負荷情報の代表値に反映される。その他、数値入力手段を備える場合は（入力の許容される範囲で）任意の値を入力することで設定値が制御情報として同報送信され、管理対象端末に設定される。この操作部１６を設けることで、中央監視制御装置Ｕ０からでなくても、各占有部分Ｍにおいて、各仮想負荷を制御することができる。
【００３８】
以上のように、本発明の監視システム１は、２次側ネットワークＮ２の代表値だけの監視で所期の目的を実現できる場合には、上述の構成を用いることで、監視装置Ｕ以下のシステム（２次側）と全体システム（基幹システム）（１次側）とを独立して設計することができるとともに、端末装置Ｔの数が変化しても、基幹部分である１次側ネットワークＮ１における監視装置Ｕの仮想負荷情報の種類および数に変化がなければ、設定変更を不要にでき、テナントの要望や入替わりなどに応じて、２次側ネットワークＮ２を柔軟に組替えることができる。また、監視装置Ｕは、前記代表値を管理するだけであり、端末装置Ｔの状態を記憶しておくためのメモリ容量を削減することができる。さらにまた、複数の監視装置Ｕで多くの端末装置Ｔを監視するにあたって、１次側ネットワークＮ１では前記代表値が通信されるだけであり、トラヒックを劇的に削減することができる。
【００３９】
また、本発明の監視システム１では、各端末装置Ｔは属性情報を有しており、監視装置ＵのＣＰＵ１３は、対象とする属性の端末の状態情報のみから、その属性に対応した代表値算出ルールに則って前記代表値を算出するので、１つの監視装置Ｕに、照明機器Ｌ、空調機器Ａ、保安機器Ｓなどの複数種類の仮想負荷が接続されていても、属性によって何れの仮想負荷であるかを判断し、それぞれの代表値を求めることができる。
【図面の簡単な説明】
【００４０】
【図１】本発明の実施の一形態に係る監視システムの全体構成の一例を示す図である。
【図２】監視装置の一構成例を示すブロック図である。
【図３】制御テーブルの一例を示す図である。
【図４】監視装置の他の構成例を示すブロック図である。
【図５】２次側ネットワークでの監視装置による端末状態情報の収集動作を説明するための図である。
【図６】代表値更新処理の流れの一例を示すフローチャートである。
【図７】各端末装置の制御動作を説明するための図である。
【符号の説明】
【００４１】
１    監視システム
２    テナントビル
１１    １次側送受信部
１２    ２次側送受信部
１３    ＣＰＵ
１４    記憶部
１５    表示部
１６    操作部
Ａ１〜Ａ３    空調機器
Ｋ１〜Ｋ３    積算電力量計
Ｌ１１，Ｌ１２；Ｌ２１，Ｌ２２；Ｌ３１〜Ｌ３５    照明機器
Ｍ０    共用部分
Ｍ１〜Ｍ３    占有部分
Ｎ１    １次側ネットワーク
Ｎ２２１〜Ｎ２３    ２次側ネットワーク
Ｓ１〜Ｓ３    保安機器
Ｔ１１〜Ｔ１５；Ｔ２１〜Ｔ２５；Ｔ３１〜Ｔ３８    端末装置
Ｕ０    中央監視制御装置
Ｕ１〜Ｕｎ    監視装置
【図１】
2006092252.tif 000003
【図２】
2006092252.tif 000004
【図３】
2006092252.tif 000005
【図４】
2006092252.tif 000006
【図５】
2006092252.tif 000007
【図６】
2006092252.tif 000008
【図７】
2006092252.tif 000009